(57)【要約】【課題】景品が新規に配置されてから取得されるまでの管理をリアルタイムで行い、その管理情報を利用した新たなサービスを提供しうる景品取得ゲーム装置を提供する。【解決手段】景品取得ゲーム装置は、景品を収容する景品収容部と、前記景品収容部内の景品を把持可能に移動する景品取得部とを有し、プレイヤのプレイ操作に応じて、景品取得部を移動させて把持した景品をプレイヤに取得させる景品取得ゲーム装置において、景品収容部に収容される景品を識別する景品識別情報の入力を受け付ける入力受付部と、入力受付部から入力された景品識別情報と、あらかじめ与えられている景品取得ゲーム装置を識別する装置識別情報とを通信ネットワークを介して接続するサーバ装置に送信する通信部とを備える。【選択図】図３
2015186530.tif 000002
【特許請求の範囲】
【請求項１】
景品を収容する景品収容部と、前記景品収容部内の景品を把持可能に移動する景品取得部とを有し、プレイヤのプレイ操作に応じて、前記景品取得部を移動させて把持した景品をプレイヤに取得させる景品取得ゲーム装置において、
前記景品収容部に収容される景品を識別する景品識別情報の入力を受け付ける入力受付部と、
前記入力受付部から入力された景品識別情報と、あらかじめ与えられている前記景品取得ゲーム装置を識別する装置識別情報とを通信ネットワークを介して接続するサーバ装置に送信する通信部とを備えることを特徴とする景品取得ゲーム装置。
【請求項２】
請求項１において、
景品が取得されたことを検出する検出部と、
記録媒体に記録されているプレイヤを識別するプレイヤ識別情報を読み取るリーダ部とを備え、
前記通信部は、プレイヤのプレイ終了時に、前記検出部による景品取得検出に関する検出情報と、前記装置識別情報と、前記リーダ部により読み取られた前記プレイヤ識別情報とを前記サーバ装置に送信することを特徴とする景品取得ゲーム装置。
【請求項３】
景品を収容する景品収容部と前記景品収容部内の景品を把持可能に移動する景品取得部とを有し、プレイヤのプレイ操作に応じて、前記景品取得部を移動させて把持した景品をプレイヤに取得させる複数の景品取得ゲーム装置と通信ネットワークを介して接続するサーバ装置との通信方法において、
前記サーバ装置は、各景品取得ゲーム装置から、各景品取得ゲーム装置の前記景品収容部に収容される景品を識別する景品識別情報と、あらかじめ設定されている各景品取得ゲーム装置を識別する装置識別情報とを受信し、
前記サーバ装置は、受信した景品識別情報及び装置識別情報に対応する所定のサービス情報を、通信ネットワークを介して接続する通信端末装置に送信することを特徴とする通信方法。
【請求項４】
請求項３において、
前記サーバ装置は、受信した装置識別情報に対応する前記景品取得ゲーム装置が設置されている店舗の情報を保持し、受信した景品識別情報に対応する景品が収容される景品取得ゲーム装置が設置されている店舗の情報を、前記サービス情報として前記通信端末装置に送信することを特徴とする通信方法。
【請求項５】
請求項３において、
前記サーバ装置は、受信した装置識別情報に対応する前記景品取得ゲーム装置が設置されている店舗の情報を保持し、各店舗に設置されている景品取得ゲーム装置に収容されている景品の情報を、前記サービス情報として前記通信端末装置に送信することを特徴とする通信方法。
【請求項６】
景品を収容する景品収容部と前記景品収容部内の景品を把持可能に移動する景品取得部と把持された景品が取得されたことを検出する検出部とを有し、プレイヤのプレイ操作に応じて、前記景品取得部を移動させて把持した景品をプレイヤに取得させる複数の景品取得ゲーム装置と通信ネットワークを介して接続するサーバ装置との通信方法において、
前記サーバ装置は、各景品取得ゲーム装置から、プレイヤのプレイ毎に、前記検出部による景品取得に関する検出情報と、あらかじめ設定されている各景品取得ゲーム装置を識別する装置識別情報と、プレイヤを識別するプレイヤ識別情報とを受信し、
前記サーバ装置は、受信した検出情報、装置識別情報及びプレイヤ識別情報に対応する所定のサービス情報を、通信ネットワークを介して接続する通信端末装置に送信することを特徴とする通信方法。
【請求項７】
請求項６において、
前記サーバ装置は、受信した装置識別情報に対応する前記景品取得ゲーム装置が設置されている店舗の情報を保持し、受信した検出情報に対応する景品が収容される景品取得ゲーム装置が設置されている店舗の情報を、前記サービス情報として前記通信端末装置に送信することを特徴とする通信方法。
【請求項８】
景品を収容する景品収容部と前記景品収容部内の景品を把持可能に移動する景品取得部とを有し且つプレイヤのプレイ操作に応じて前記景品取得部を移動させて把持した景品をプレイヤに取得させる複数の景品取得ゲーム装置と、通信ネットワークを介して接続するサーバ装置において、
各景品取得ゲーム装置から、各景品取得ゲーム装置の前記景品収容部に収容される景品を識別する景品識別情報と、あらかじめ設定されている各景品取得ゲーム装置を識別する装置識別情報とを受信し、
受信した景品識別情報及び装置識別情報に対応する所定のサービス情報を、通信ネットワークを介して接続する通信端末装置に送信することを特徴とするサーバ装置。
【発明の詳細な説明】
【技術分野】
【０００１】
本発明は、プレイヤのプレイ操作により、プレイヤが筐体内の景品収容部に収容される景品を取得するゲームを行うための景品取得ゲーム装置及びそれによる通信方法に関する。
【背景技術】
【０００２】
筐体内部に設けられた景品収容部に収容されている景品の取得を目的とする景品取得ゲーム装置が、アミューズメント施設をはじめ、店舗やショッピングモールなどさまざまな場所に設置されている。景品取得ゲーム装置の一形態は所謂クレーンゲーム機と称されるもので、プレイヤが操作パネルを操作して、景品収容部内でクレーン（景品取得部）を移動させて景品を把持させ、把持した景品を景品落とし口で落下させることで、プレイヤは景品を取出口から取得する。
【０００３】
景品収容部に収容される景品は、景品取得ゲーム装置の稼働を止めた状態で、景品収容部をあけて店員が手作業により配置する。そして、景品取得ゲーム装置の稼働状態において、プレイヤのゲームプレイにより、景品が取得されていくことで、景品収容部内の景品の残存数は徐々に減っていく。景品収容部内に配置された景品が一定数を下回った場合には、適宜景品は補充される場合があり、さらに、一定期間を過ぎると、新しい景品に置き換える必要があり、景品収容部内の景品の残存状況は随時管理されている。
【０００４】
特許文献１は、景品に、非接触で情報の読み出し可能な記憶装置を備えるタグを付し、景品が取得される際に、景品取得ゲーム装置に搭載されたリーダによりその情報を読み取り、取得された景品の情報を通信回線を介してホストコンピュータに送信することで、景品の在庫管理を行う手法について開示している。
【先行技術文献】
【特許文献】
【０００５】
【特許文献１】特開２００３−２３０７６０号公報
【発明の概要】
【発明が解決しようとする課題】
【０００６】
しかしながら、特許文献１の構成では、景品取得による残存数の変化を管理することはできるものの、景品配置時の在庫管理を行うことができず、店員による手入力作業に頼らざるを得ず、景品の配置から取得までの一連の在庫管理を行うことはできない。
【０００７】
そこで、本発明の目的は、景品が新規に配置されてから取得されるまでの管理をリアルタイムで行い、さらに、その管理情報を利用した新たなサービスを提供しうる景品取得ゲーム装置及び通信方法及びサーバ装置を提供することにある。
【課題を解決するための手段】
【０００８】
上記目的を達成するための本発明の景品取得ゲーム装置は、景品を収容する景品収容部と、前記景品収容部内の景品を把持可能に移動する景品取得部とを有し、プレイヤのプレイ操作に応じて、景品取得部を移動させて把持した景品をプレイヤに取得させる景品取得ゲーム装置において、景品収容部に収容される景品を識別する景品識別情報の入力を受け付ける入力受付部と、入力受付部から入力された景品識別情報と、あらかじめ設定されている景品取得ゲーム装置を識別する装置識別情報とを通信ネットワークを介して接続するサーバ装置に送信する通信部とを備える。
【０００９】
本発明の景品取得ゲーム装置による通信方法は、景品を収容する景品収容部と景品収容部内の景品を把持可能に移動する景品取得部とを有し、プレイヤのプレイ操作に応じて、景品取得部を移動させて把持した景品をプレイヤに取得させる複数の景品取得ゲーム装置と通信ネットワークを介して接続するサーバ装置との通信方法において、サーバ装置は、各景品取得ゲーム装置から、各景品取得ゲーム装置の景品収容部に収容される景品を識別する景品識別情報と、あらかじめ設定されている各景品取得ゲーム装置を識別する装置識別情報とを受信し、サーバ装置は、受信した景品識別情報及び装置識別情報に対応する所定のサービス情報を、通信ネットワークを介して接続する通信端末装置に送信する。
【００１０】
本発明の景品取得ゲーム装置による別の通信方法は、景品を収容する景品収容部と景品収容部内の景品を把持可能に移動する景品取得部と把持された景品が取得されたことを検出する検出部とを有し、プレイヤのプレイ操作に応じて、景品取得部を移動させて把持した景品をプレイヤに取得させる複数の景品取得ゲーム装置と通信ネットワークを介して接続するサーバ装置との通信方法において、サーバ装置は、各景品取得ゲーム装置から、プレイヤのプレイ毎に、検出部による景品取得に関する検出情報と、あらかじめ設定されている各景品取得ゲーム装置を識別する装置識別情報と、プレイヤを識別するプレイヤ識別情報とを受信し、サーバ装置は、受信した検出情報、装置識別情報及びプレイヤ識別情報に対応する所定のサービス情報を、通信ネットワークを介して接続する通信端末装置に送信する。
【００１１】
本発明のサーバ装置は、景品を収容する景品収容部と景品収容部内の景品を把持可能に移動する景品取得部とを有し且つプレイヤのプレイ操作に応じて景品取得部を移動させて把持した景品をプレイヤに取得させる複数の景品取得ゲーム装置と、通信ネットワークを介して接続するサーバ装置において、各景品取得ゲーム装置から、各景品取得ゲーム装置の前記景品収容部に収容される景品を識別する景品識別情報と、あらかじめ設定されている各景品取得ゲーム装置を識別する装置識別情報とを受信し、サーバは、受信した景品識別情報及び装置識別情報に対応する所定のサービス情報を、通信ネットワークを介して接続する通信端末装置に送信する。
【発明の効果】
【００１２】
本発明によれば、景品取得ゲーム装置に景品識別情報を入力できる入力受付部が設けられるので、管理者（店員）が、景品収容部に景品を配置するその場で景品の配置を入力することができ、景品の配置にかかる管理情報をリアルタイムに登録することができる。
景品取得ゲーム装置に景品識別情報を直接入力する構成とすることで、入力された景品識別情報を、景品を配置した景品取得ゲーム装置の装置識別情報と自動的に関連付けて管理することができる。
【００１３】
景品の配置にかかる登録をリアルタイムに行うことで、景品の配置に関心を有するプレイヤは、景品が配置されたことを即座に知ることができ、景品取得ゲーム装置によるゲームプレイを促すことができる。
【００１４】
また、景品取得の情報とともに、景品取得された装置の装置識別情報や景品取得したプレイヤのプレイヤ識別情報の通知をサーバ装置に送信することで、サーバ装置からプレイヤの通信端末に、景品取得に関する様々なサービス情報を送信することができる。
【図面の簡単な説明】
【００１５】
【図１】本実施の形態における景品取得ゲーム装置の概略的な全体構成を示す図である。
【図２】本実施の形態における景品取得ゲーム装置の機能ブロック図である。
【図３】景品取得ゲーム装置１を含む通信ネットワーク構成例を示す図である。
【図４】入力受付部２０における景品識別情報入力画面の例を示す図である。
【図５】管理者が景品を景品収容部に配置する作業時における景品識別情報送信処理手順を示すフローチャートである。
【図６】データサーバ１０３に格納される景品配置データベースの例を示す図である。
【図７】プレイヤのゲームプレイ時におけるゲーム結果情報送信処理手順を示すフローチャートである。
【図８】データサーバ１０３に格納されるゲーム結果履歴データベースの例を示す図である。
【図９】通信端末２００に表示されるWebサイトの画面例を示す図である。
【図１０】通信端末２００に表示されるWebサイトの画面例を示す図である。
【図１１】通信端末２００に表示されるWebサイトの画面例を示す図である。
【発明を実施するための形態】
【００１６】
以下、図面に従い本発明の実施の形態例を説明する。なお、実施の形態例は、本発明の理解のためのものであり、本発明の技術的範囲がこれに限定されるものではない。
【００１７】
図１は、本発明の実施の形態における景品取得ゲーム装置の概略的な全体構成を示す図である。景品取得ゲーム装置１の筐体は、図１に示すように、直方体形状の基台２の上に、景品を収容するための箱型の景品収容部３を備えた構造となっている。
【００１８】
景品収容部３は、その内部に収容された景品Ｐをプレイヤが目視することができるように前面５Ａ及び側面５Ｂ、５Ｃが透明な樹脂又はガラスの板状部材から形成されている。また、景品収容部３の背面５Ｄは、例えば鏡面状の板状部材や内面に装飾が施された板状部材により形成されており、さらに、景品収容部３の前面５Ａは、例えば引戸又は観音開き構造にて開閉可能となっている。
【００１９】
景品取得ゲーム装置１の管理者（ゲーム場の運営者等）は、この前面５Ａから、キャラクターグッズ、ぬいぐるみや雑貨等といった景品を景品収容部３内に載置し、取り出し、さらには収容状態やディスプレイ状態を変える（配置や傾き等といった状態を適宜変更する）ことができるようになっている。
【００２０】
景品収容部３は、左右２つのブース（プレイ空間）に分けられており、１台の景品取得ゲーム装置において、２人のプレイヤが同時にプレイ可能となっており、以下に説明する各種操作手段などは、 プレイ空間毎に搭載されている。ブースは２つに限らず、１つであってもよいし、また、３つ以上設けられてもよい。
【００２１】
景品収容部３内には、プレイヤの操作に応じて水平方向に移動し、また、昇降する景品取得部４が設けられている。景品取得部４には、景品を把持し且つ把持した景品を解放するために開閉可能な把持部６が設けられている。
【００２２】
景品取得部４は、既知の移動駆動機構により、景品収容部３の内部上方に横方向（側面５Ｂと側面５Ｃとを結ぶ方向：Ｘ方向）及び縦方向（前面５Ａと背面５Ｄを結ぶ方向：Ｙ方向）にモータ駆動され、また、既知の昇降駆動機構(図示せず)により、景品収容部３の内部を鉛直方向（Ｚ方向）にモータ駆動される。
【００２３】
基台２の前側には、操作用卓であるコントロールパネル１４が設けられている。コントロールパネル１４には、ゲームを行う際にコインを投入するためのコイン投入口１５と、ゲーム時に遊戯者が景品取得部６を景品収容部３内の所望位置に移動させる操作を入力するための操作ボタン１６（１６Ａ、１６Ｂ）が設けられている。操作ボタン１６は、遊戯者の操作入力が可能であれば、ジョイスティック等、適宜の形態とすれば良い。
【００２４】
さらに、コインに代わって、所定の電子マネーによるゲーム開始受付が行われてもよい。既知の非接触型ＩＣカード技術を用いて、電子マネーを有するＩＣカードが発行され、プレイヤは、あらかじめＩＣカードに所定金額の電子マネーをチャージしておく。コントロールパネル１４に、非接触型ＩＣカードと通信可能なＩＣカードリーダ１９が搭載され、プレイヤがＩＣカードリーダにＩＣカードをタッチさせることで、電子マネーによる支払いが行われる。このとき、景品取得ゲーム装置は、ＩＣカードリーダを介して、ＩＣカードに登録されているプレイヤに関する情報、例えば、プレイヤ識別情報（ニックネームのようなプレイヤ名、プレイヤＩＤを含む）や過去にプレイしたゲームの履歴データなどを取得することができる。
【００２５】
基台２の前面５Ａ側には、景品収容部３内の下方に設けられた景品落とし口１７に落下した景品を景品取得ゲーム装置１の外部に取り出すための景品取出口１８が設けられている。
【００２６】
左右の操作ボタン１６に挟まれたコントロールパネル１４の中央部分には、例えば液晶タッチパネルで構成される入力受付部２０が設けられ、プレイヤがゲーム可能なゲームモードにおいては、操作方法の案内、ゲーム結果、各種情報などが表示される。また、管理者が各種設定行う設定モードにおいては、各種設定画面が表示され、管理者は、必要な設定情報を入力受付部２０へのタッチ操作により入力することができる。
【００２７】
図２は、本実施の形態における景品取得ゲーム装置の機能ブロック図である。景品取得ゲーム装置１は、プログラム実行手段であるＣＰＵ（Central Processing Unit）、ＲＯＭ（Read Only Memory）及びＲＡＭ（Random Access Memory）からなるマイクロコンピュータを構成する制御部（制御手段）３０と、例えば不揮発性メモリからなる記憶部３１と、時間をカウントするタイマ３２と、ネットワークを介して外部機器と通信するためのインタフェースである通信部３３、景品取得センサ３４とを有している。
【００２８】
記憶部３１は、景品取得ゲーム装置１におけるゲーム実行処理、各種設定処理など景品取得ゲーム装置１を制御するためのコンピュータプログラムを格納し、そのコンピュータゲームプログラムがＲＡＭにコピーされＣＰＵにより実行される。制御部３０のＣＰＵが、このコンピュータプログラムを実行することにより、後述する本実施の形態における制御処理を実行する。
【００２９】
景品取得センサ３４は、例えば、景品落とし口１７に設置される赤外線センサであり、取得された景品が景品落とし口１７を通過するのを検出し、検出信号Ｓ３を出力する。制御部３０は、検出信号Ｓ３の受信の有無により、景品取得されたか否かを認識することができる。景品取得センサ３４は、赤外線センサに限らず、例えばＲＦＩＤタグを利用した近距離通信による検出手段などさまざまな手段を採用しうる。
【００３０】
制御部３０には、例えばゲーム中にプレイヤによりコントロールパネル１４の操作ボタン１６（１６Ａ、１６Ｂ）が押圧されたときに、これに応じた操作信号Ｓ１が操作ボタン１６（１６Ａ、１６Ｂ）から与えられ、それに応じて、景品取得部４をＸ方向、Ｙ方向、Ｚ方向それぞれに駆動させるモータ１３及び把持部６の駆動を制御する。景品取得部４を駆動させる移動駆動機構及び昇降駆動機構においては、景品取得部４の左右方向の位置を検出する左右位置検出手段、前後方向の位置を検出する前後位置検出手段及び上下方向の位置を検出する上下位置検出手段として、例えば景品取得部４のＸ方向、Ｙ方向又はＺ方向の移動限界位置にそれぞれリミットスイッチ３５が設けられている。そしてこれらリミットスイッチ３５は、それぞれ景品取得部４が対応するＸ方向、Ｙ方向又はＺ方向の移動限界位置にまで移動したときに、これに応じた移動限界検出信号Ｓ２を制御部３０に送出する。
【００３１】
このようにして、制御部３０は、これら操作信号Ｓ１及び移動限界検出信号Ｓ２に基づき、あらかじめプログラムされた景品取得ゲーム実行処理手順に従って、プレイヤによる第１及び第２の操作ボタン１６の操作に応答したゲーム動作を景品取得ゲーム装置１に実行させる。
【００３２】
図３は、景品取得ゲーム装置１を含む通信ネットワーク構成例を示す図である。複数箇所に設置されている複数台の景品取得ゲーム装置１は、図２に示した通信部３３を介して、通信ネットワークを介してサーバシステム１００と接続している。サーバシステム（サーバ装置）１００は、景品取得ゲーム装置１と通信を行う装置側通信サーバ１０１と、プレイヤが保有する通信端末（携帯電話、スマートフォン、パーソナルコンピュータなど）２００と例えばインターネットを介して通信を行う端末側通信サーバ１０２と、景品取得ゲーム装置１の各種ゲームデータ（設置されている景品情報、ゲーム結果情報など）を蓄積・管理するデータサーバ１０３とを備え、各サーバ１０１、１０２、１０３間も互いに通信可能である。各サーバ１０１、１０２、１０３は機能的に分けられたものであり、一体的に構成されてもよいし、それぞれ異なる装置として設置されてもよく、それぞれが複数の装置から構成されていてもよい。その設置形態は問わない。もちろんサーバ間も相互に通信可能である。データサーバ１０３は、ゲームデータに加えて、プレイヤの登録情報(プレイヤ識別情報、ニックネーム、氏名、住所など)、店舗の登録情報（店舗識別情報、店舗名、住所、設置している景品取得ゲーム装置の装置識別情報など）の基本的な登録データを保有している。
【００３３】
そして、本実施の形態においては、景品取得ゲーム装置１の筐体に設けられた入力受付部２０によって、景品収容部３に収容される景品を識別する景品識別情報（景品ＩＤとも称する）の入力を受け付け、通信部３３は、入力受付部２０に入力された景品ＩＤを、少なくともそれを搭載する景品取得ゲーム装置を識別する装置識別情報（装置ＩＤとも称する）とともに通信ネットワークを介して接続するサーバシステム１００に送信する。
【００３４】
景品取得ゲーム装置１の管理者が景品収容部３を開けて新たな景品を配置する作業を行う際に、その作業が行われている景品取得ゲーム装置１に、どのような景品が収容されたかについて、管理者は、作業場所において、景品取得ゲーム装置１の筐体に設けられた入力受付部２０から入力することができ、実質的にリアルタイムでの在庫管理が可能となる。
【００３５】
図４は、入力受付部２０における景品ＩＤ入力画面の例を示す図である。管理者は、入力受付部２０を設定モードにし、所定の入力操作を行って、図４に示す景品ＩＤ入力画面を表示させると、液晶タッチパネルで構成される入力受付部２０に画面表示されるキーボードへのタッチ入力などにより景品ＩＤを入力する。入力された景品ＩＤは、通信部３０により自動的にサーバシステム１００に送信される。
【００３６】
図５は、管理者が景品を景品収容部に配置する作業時における景品ＩＤ送信処理手順を示すフローチャートである。本処理は、管理者が景品収容部３を開けて、新規の景品を景品収容部３内に配置する作業流れの中で行われる。制御部３０は、管理者による入力受付部２０への操作に応じて、景品ＩＤ入力画面を表示させる（Ｓ１００）。管理者が新たに配置する景品にあらかじめ与えられている景品ＩＤを入力受付部２０に入力すると（Ｓ１０２）、制御部３０の制御に従って、入力された景品ＩＤ、景品取得ゲーム装置１を識別する装置ＩＤ、景品が配置されたブースを識別するブース識別情報（ブースＩＤとも称する）、景品取得ゲーム装置１が設置されている店舗を識別する店舗識別情報（店舗ＩＤとも称する）を含む景品配置データを、通信部３３がサーバシステム１００に送信する（Ｓ１０４）。装置ＩＤ、店舗ＩＤはあらかじめ記憶部３１に格納されている。ブースＩＤは、入力受付部２０により入力され、景品取得ゲーム装置が複数のブースを備えている場合に送信される。また、店舗ＩＤは、景品取得ゲーム装置１が設置されている店舗があらかじめサーバシステム側に登録されていれば、装置ＩＤにより、店舗を特定できるので、必ずしも景品ＩＤとともに送信する必要はない。
【００３７】
景品ゲーム装置１への景品ＩＤの入力は、ＲＦＩＤタグやバーコードを利用した入力形態であってもよい。
【００３８】
サーバシステム１００の装置側通信用サーバ１０１は、景品取得ゲーム装置から景品配置データを受信すると、それをデータサーバ１０３の景品配置データベースに格納する。
【００３９】
このように、景品取得ゲーム装置１に景品ＩＤを入力できる入力受付部２０を設けることで、管理者（店員）が、景品収容部３に景品を配置するその場で景品の配置を入力することができ、景品の配置にかかる管理情報をリアルタイムにサーバシステム１００登録することができる。
【００４０】
また、景品取得ゲーム装置に景品ＩＤを直接入力する構成とすることで、入力された景品ＩＤともに、景品を配置した景品取得ゲーム装置の装置ＩＤを自動的に関連付けて送信、登録することができる。装置ＩＤや店舗ＩＤの入力の手間を省略でき、管理者の作業軽減となる。なお、景品ＩＤは、景品の種類毎にユニークなものであっても、複数種で共通のものであっても良い。図６は、データサーバ１０３に格納される景品配置データベースの例を示す図である。データサーバ１０３は、景品取得ゲーム装置のブース毎に配置されている景品のＩＤ、店舗ＩＤ、ブースＩＤ及び配置日時情報をデータとして保持する。
【００４１】
景品取得ゲーム装置１の景品収容部３に景品が配置され、ゲームプレイ可能な稼働状態に置かれ、プレイヤによって実際に景品取得ゲームが行われる。景品取得ゲーム装置１は、景品取得ゲームが行われるたびに、景品が取得されたか否かの情報を含むゲーム結果情報をサーバシステム１００に送信する。
【００４２】
図７は、プレイヤのゲームプレイ時におけるゲーム結果情報送信処理手順を示すフローチャートである。コイン投入口１５に所定金額のコイン投入又は電子マネーによる支払いが行われることで、ゲームが開始される（Ｓ１１０）。
【００４３】
ゲームが開始されると、景品取得ゲーム装置１の制御部３０は、操作ボタン１６による操作に応じて、景品取得部４を移動・昇降させ、さらに把持部６を開閉させる所定の動作を行わせる（Ｓ１１２）。一連の動作の最後に把持部６を開放させ、把持部６が景品を把持している場合、把持部６を開放することで、景品は落とし口１７を通って、取り出し口１８に落下する。景品取得センサ３４は、景品が落とし口１７を通過すると、所定の検出信号Ｓ３を出力し、制御部３０は、ゲーム開始からゲーム終了までの間の検出信号の有無により、景品が取得された否かの判定を行う（Ｓ１１４）。ゲーム終了までに、検出信号Ｓ３を検出しない場合は、景品取得されなかったと判定する。そして、制御部３０は、ゲーム終了後に（Ｓ１１６）、景品取得有無のゲーム結果情報をサーバシステム１００に送信する（Ｓ１１８）。ゲーム結果情報は、景品取得の有無の情報に加えて、景品配置時に送信された景品配置データに含まれる情報、すなわち、景品ＩＤ、装置ＩＤ、ブースＩＤ及び店舗ＩＤを含む。さらに、ゲームのプレイに対する支払いにＩＣカードの電子マネーが用いられた場合は、ＩＣカードに登録されているプレイヤ識別情報も、ゲーム結果情報とともに送信される。
【００４４】
サーバシステム１００の装置側通信用サーバ１０１は、景品取得ゲーム装置１からゲーム結果情報を受信すると、それをデータサーバ１０３のゲーム結果履歴データベースに格納する。
【００４５】
図８は、データサーバ１０３に格納されるゲーム結果履歴データベースの例を示す図である。データサーバ１０３は、実施されたゲーム毎に、少なくともプレイ日時情報、店舗ＩＤ、装置ＩＤ、ブースＩＤ、景品ＩＤ、景品取得有無の情報、プレイヤＩＤ（送信された場合のみ）をデータとして保持する。
【００４６】
そして、本実施の形態例においては、サーバシステム１００は、インターネットなどの通信ネットワークを介してデータサーバ１０３に格納されたデータをプレイヤの通信端末２００に送信する。サーバシステム１００の端末側通信サーバ１０２は、Webサーバであって、景品取得ゲーム装置１に関連する情報をWebサイトにより提供するサービスを実施し、通信端末２００からの要求に応じて、データサーバ１０３から情報を読み出し、所定のサービス情報として通信端末２００に送信する。
【００４７】
景品配置データベース及びゲーム結果履歴データベースから、端末側通信サーバ１０２は、例えば、以下のサービス情報を通信端末２００に送信することができる。図９乃至図１１は、通信端末２００に表示されるWebサイトの画面例を示す。
【００４８】
（１）通信端末２００が、プレイヤが選択した景品を配置している店舗などの通知要求を送信すると(図９（ａ）において、景品入力欄に景品名を入力し、検索アイコンを操作すると)、端末側通信サーバ１０２は、データベース１０３の景品配置データベースを景品ＩＤにより検索し、その景品が配置された装置が設置されている店舗名、配置日時情報などを通信端末２００に送信し、Webサイト画面として表示する（図９（ｂ））。
【００４９】
上述したように、本実施の形態例では、店員の作業により景品が景品収容部３内に配置する際に、景品取得ゲーム装置１の入力受付部２０からリアルタイムで景品が配置された旨の情報がサーバシステム１００に通知されて登録されるので、プレイヤは、関心のある景品がどの店舗に配置されているかを即座に知ることができる。
【００５０】
また、プレイヤが、自己が関心のある景品についてあらかじめ端末側通信サーバ１０２に登録しておくことで、その景品が配置された旨データベース１０３に登録されると、端末側通信サーバ１０２は電子メールなどの手段により、その景品が配置された日時情報、店舗情報などをプレイヤに通知するようにしてもよい。
【００５１】
（２）通信端末２００が、プレイヤが選択した店舗に配置している景品などの通知要求を送信すると(図９（ａ）において、店舗地域入力欄に店舗地域を入力し、検索アイコンを操作すると)、端末側通信サーバ１０２は、データベース１０３を検索し、店舗地域に含まれる店舗ＩＤを抽出し、その店舗名及び地図をWebサイト画面として表示し（図９（ｃ））、さらに、その中から特定の店舗が選択されると、端末側通信サーバ１０２は、データベース１０３を検索し、選択された店舗の店舗ＩＤから、その店舗に配置されている景品の景品名などを通信端末２００に送信し、Webサイト画面として表示する（図９（ｄ））。
【００５２】
これにより、プレイヤは、選択した店舗に設置されている景品取得ゲーム装置１にどのような景品が配置されているかを知ることができる。
【００５３】
（３）通信端末２００が、プレイヤが選択した特定の景品の取得状況の通知要求を送信すると（図１０（ａ）において、景品入力欄に景品名を入力し、検索アイコンを操作すると）、端末側通信サーバ１０２は、データベース１０３のゲーム結果履歴データベースを景品ＩＤにより検索し、景品名、その景品が取得された装置が設置されている店舗名、取得日時（プレイ日時）情報、プレイヤ名などを通信端末２００に送信し、Webサイト画面として表示する（図１０（ｂ））。
【００５４】
これにより、プレイヤは、どの店舗又はどの装置でそのプレイヤによって自己が関心のある景品が取得されているかの情報を知ることができ、プレイする装置、店舗の選択の参考とすることができる。
【００５５】
（４）通信端末２００が、プレイヤが選択した他のプレイヤの景品取得状況の通知要求を送信すると(図１１（ａ）において、表示されてプレイヤ名を選択操作すると)、端末側通信サーバ１０２は、データベース１０３のゲーム結果履歴データベースをプレイヤＩＤをキーに検索し、そのプレイヤが取得した景品の景品名、店舗名、プレイ日時情報などを通信端末２００に送信し、Webサイト画面として表示する（図１１（ｂ））。
【００５６】
これにより、プレイヤは、インターネットを介してつながっている他のプレイヤの景品取得状況を知ることができる。また、他プレイヤだけでなく自身の景品取得情報状況についても、データベース１０３のゲーム結果履歴データベースの情報を基に、同様に知ることができる。
【００５７】
このように、景品取得の情報とともに、景品取得された装置の装置ＩＤや景品取得したプレイヤのプレイヤＩＤをサーバに送信することで、サーバからプレイヤの通信端末に、景品取得に関する様々なサービス情報を送信することができる。
【００５８】
特定の１種の景品または複数種の景品が入荷された景品取得ゲーム装置をキャンペーン対象のゲーム装置として設定した場合、入荷時に景品ＩＤを入力した段階で自動的にサーバにキャンペーン対象のゲーム装置として登録できる。 データサーバ１０３の景品配置データベースには、特定の景品ＩＤが配置された景品取得ゲーム装置１がキャンペーン対象のゲーム装置として登録され、端末側通信サーバ１０２は、キャンペーン対象のゲーム装置のリストをユーザの通信端末２００に送信することができる。また、データサーバ１０３のゲーム結果履歴データベースによって、キャンペーン対象のゲーム装置でのプレイ回数をユーザ毎に管理することができ、そのプレイ回数が所定回数に達した場合、端末側通信サーバ１０２は、ユーザの通信端末２００にキャンペーン応募画面を表示可能とし、ユーザは、通信端末２００のＷｅｂ画面より、キャンペーンへの応募することができるようにしてもよい。
【００５９】
配信されるサービス情報は、上記に限られず、日時情報をキーに検索したサービス情報（本日取得された景品、本日景品が取得された店舗など）、複数の項目の組み合わせにより検索したサービス情報など多様なサービス情報を生成することができる 。
【符号の説明】
【００６０】
１：景品取得ゲーム装置、２：基台、３：景品収容部、４：景品取得部、６：把持部、１４：コントロールパネル、１３：モータ、１５：コイン投入口、１６：操作ボタン、１７：景品落とし口、１８：景品取出口、１９：ＩＣカードリーダ、２０：入力受付部（液晶タッチパネル）、３０：制御部、３１：記憶部、３２：タイマ、３３：通信部、３４：景品取得センサ、３５：リミットスイッチ、１００：サーバシステム（サーバ装置）、１０１：装置側通信サーバ、１０２：端末側通信サーバ、１０３：データベース、２００：通信端末
【図１】
2015186530.tif 000003
【図２】
2015186530.tif 000004
【図３】
2015186530.tif 000005
【図４】
2015186530.tif 000006
【図５】
2015186530.tif 000007
【図６】
2015186530.tif 000008
【図７】
2015186530.tif 000009
【図８】
2015186530.tif 000010
【図９】
2015186530.tif 000011
【図１０】
2015186530.tif 000012
【図１１】
2015186530.tif 000013